(57)【要約】  本発明は、上部面（１）および上部面（１）に平行な下部面（２）を備える切削インサートに関係し、４つの側部面（３）および４つのコーナー面（３’）は上部面（１）と下部面（２）との間に延在し、少なくとも１つの切れ刃（４，４’）は、上部面（１）と、コーナー面（３’）の少なくとも１つのコーナー面（３’）と、コーナー面（３’）に接続された側部面（３）のうちの２つの側部面（３）と、の交差部に形成され、上部面（１）はすくい表面を形成し、コーナー面（３’）および２つの側部面（３）の少なくとも上側部分は、切れ刃（４，４’）に接続された逃げ表面（５，５’）を形成する。本発明は、そのような切削インサートを含むディスクフライス工具に同様に関係する。クランクシャフトフライスのためのサイクルタイムを減少させるために、切削インサート（１０）は、上部面（１）に関する平面図において、切削インサート（１０）が、７０°と８５°との間の鋭角（ε１）を含む２つの斜め向かいのコーナー部（８）を有する平行四辺形の基本形状を形成し、鋭角付きコーナー部（８）の少なくとも１つの鋭角付きコーナー部（８）は、上記切れ刃（４，４’）の１つのコーナー切れ刃（４’）を提供するコーナー面（３’）を備えること、逃げ表面（５）は上部面（１）との鈍角内角（ε１）を形成すること、および、切り屑溝（６）は切れ刃（４，４’）に隣接しかつ沿って上部面（１）に形成されることを特徴とする。【選択図】図２Ａ
2020533186.tif 000002
【特許請求の範囲】
【請求項１】
上部面（１）および前記上部面（１）に平行な下部面（２）を備える切削インサートであって、４つの側部面（３）および４つのコーナー面（３’）は前記上部面（１）と前記下部面（２）との間に延在し、少なくとも１つの切れ刃（４，４’）は、前記上部面（１）と、前記コーナー面（３’）の少なくとも１つのコーナー面（３’）と、前記コーナー面（３’）に接続された前記側部面（３）のうちの２つの側部面（３）と、の交差部に形成され、前記上部面（１）はすくい表面を形成し、前記コーナー面（３’）および前記２つの側部面（３）の少なくとも上側部分は、前記切れ刃（４，４’）に接続された逃げ表面（５，５’）を形成し、
前記上部面（１）に関する平面図において、前記切削インサート（１０）は、７０°と８５°との間の鋭角（ε１）を含む斜め向かいの２つのコーナー部（８）を有する平行四辺形の基本形状を形成し、前記鋭角付きコーナー部（８）の少なくとも１つの鋭角付きコーナー部（８）は、前記切れ刃（４，４’）の１つのコーナー切れ刃（４’）を提供する前記コーナー面（３’）を備えること、前記逃げ表面（５，５’）は前記上部面（１）と鈍角内角（θ）を形成すること、および、切り屑溝（６）は前記切れ刃（４，４’）に隣接しかつ前記切れ刃（４，４’）に沿って前記上部面（１）に形成されることを特徴とする、切削インサート。
【請求項２】
前記斜め向かいのコーナー部（８）の前記鋭角（ε１）は７２°と７８°との間、特に約７５°であることを特徴とする、請求項１に記載の切削インサート。
【請求項３】
前記逃げ表面（５，５’）は、１００°と１１０°との間、好ましくは約１０５°の、前記上部面との鈍角内角（θ）を形成することを特徴とする、請求項１または２に記載の切削インサート。
【請求項４】
前記切り屑溝（６）は、前記切れ刃（４，４’）の少なくとも２つのまっすぐな切れ刃部分（４）と、前記２つのまっすぐな切れ刃（４，４’）を接続し好ましくは湾曲している前記コーナー切れ刃（４’）と、に沿って連続的に延在することを特徴とする、請求項１から３のいずれか一項に記載の切削インサート。
【請求項５】
ランド部（７）は、前記切れ刃（４，４’）に沿って設けられ、かつ前記切れ刃（４，４’）と前記切り屑溝（６）との間に配置され、前記ランド部（７）は、好ましくは、前記上部面に平行な平面に位置することを特徴とする、請求項１から４のいずれか一項に記載の切削インサート。
【請求項６】
前記切れ刃（４）を通る垂直な断面において、前記ランド部（７）に隣接する切り屑溝（６）表面部分に対する接線は、前記逃げ表面（５，５’）と鋭角内角を形成し、特に、前記接線は、前記逃げ表面（５，５’）と８５°の鋭角内角を形成することを特徴とする、請求項５に記載の切削インサート。
【請求項７】
中心クランプ孔（１１）は、前記切削インサートを貫通して前記上部面（１）から前記下部面（２）まで延在することを特徴とする、請求項１から６のいずれか一項に記載の切削インサート。
【請求項８】
前記切削インサートは、割り出し可能な切削インサートであり、同一の切れ刃（４）は前記平行四辺形の前記基本形状の前記鋭角付きコーナー部の他のコーナー部および前記他の２つの側部面に沿って設けられること、および、前記切削インサートは、前記上部面と同一である下部面を有する両面インサートであることを特徴とする、請求項１から７のいずれか一項に記載の切削インサート。
【請求項９】
前記側部面（３）は平坦表面部分を備え、前記平坦表面部分は、前記上部面に垂直に延在し、かつ前記逃げ表面（５）に隣接して位置しており、前記上部面に垂直に測定される前記平坦表面部分の幅（ｂ）は、前記上部面と前記下部面との間の距離の５０％と８０％との間、特に、前記距離の５５％と６２％との間であることを特徴とする、請求項１から８のいずれか一項に記載の切削インサート。
【請求項１０】
前記コーナー切れ刃（４’）は凸突出部（８’’）を備え、前記凸突出部（８’’）は、隣接する前記まっすぐな側部面（３）の一方によって画定される仮想平面を超えて延在し、同じコーナー切れ刃（８）において接合する他方の隣接する前記側部面（３）によって画定される平面を超えて突出しないことを特徴とする、請求項１から９のいずれか一項に記載の切削インサート。
【請求項１１】
クランクシャフトフライス工具のための切削インサートホルダー（２０）であって、前記ホルダー（２０）は、少なくとも、
周縁表面セクションと、前記周縁表面セクションに隣接する対向配置された２つの半径方向表面と、を少なくとも有する部分円柱本体を備え、
切削インサート座部は、前記周縁表面に対する前記半径方向表面の少なくとも１つの半径方向表面の移行部において凹所として形成され、前記インサート座部は、下部支持表面、および、前記下部支持表面に垂直に延在する少なくとも２つの側部支持表面を備え、
前記下部支持表面の垂線は、半径方向平面（Ｒ）に対して少なくとも１０°の絶対値のネガティブな軸方向すくい角（α）で、また、前記インサート座部の下部のロケーションにおいて前記周縁円柱表面に対する接平面（Ｔ）に対して少なくとも８°の絶対値のネガティブな半径方向すくい角（β）によって、前記少なくとも部分円柱本体から外方に軸方向及び半径方向に向き、前記下部支持表面の中心を通ることを特徴とする、切削インサートホルダー（２０）。
【請求項１２】
前記ネガティブな軸方向すくい角αの絶対値は、１５°より大きい、好ましくは２２°より大きい、特に約２７°であり、前記ネガティブな半径方向すくい角βの絶対値は、１２°より大きい、好ましくは２０°より大きい、特に約２４°であることを特徴とする、請求項１１に記載の切削インサートホルダー。
【請求項１３】
前記座部の前記下部支持表面は、実質的に中心のねじ山付きクランプ孔を備えることを特徴とする、請求項１１または１２に記載の切削インサートホルダー。
【請求項１４】
対向する半径方向表面に前記凹所として形成される前記インサート座部は、円周方向に沿って相対的にシフトすることを除いて、鏡面対称的な形状および配置構成を有することを特徴とする、請求項１１から１３のいずれか一項に記載の切削インサートホルダー。
【請求項１５】
請求項１１から１４のいずれか一項に記載のインサートホルダーを備え、請求項１から１０のいずれか一項に記載の切削インサートを装備するクランクシャフトフライス工具。
【請求項１６】
前記切削インサートは、前記切削インサートの鋭角付き切削コーナー部に隣接する各切削インサートの少なくとも１つの切れ刃が接平面上に延在し、同じ切削コーナー部に隣接する別の切れ刃が半径方向平面に延在するように、自身の座部に配置されることを特徴とする、請求項１７または１８に記載のクランクシャフトフライス工具。
【発明の詳細な説明】
【技術分野】
【０００１】
本発明は、上部面および上部面に平行な下部面を備える切削インサートに関係し、４つの側部面および４つのコーナー面は上部面と下部面との間に延在し、少なくとも１つの切れ刃は、上部面と、コーナー面のうちの少なくとも１つのコーナー面と、コーナー面に接続された側部面のうちの２つの側部面と、の交差部に形成され、上部面はすくい表面（ｒａｋｅ  ｓｕｒｆａｃｅ）を形成し、コーナー面および２つの側部面の少なくとも上側部分は、切れ刃に隣接する逃げ表面を形成する。
【背景技術】
【０００２】
基本四角形形状を有する切削インサートは種々の目的のために当技術分野でよく知られている。本発明による切削インサートは、ディスク状フライス工具のために、すなわち、クランクシャフトおよび／またはカムシャフトフライスのために使用することができる対応するディスク状フライス工具のインサート座部に搭載されるために特に設計される。そのようなフライス工具は、概して、ディスク状であり、また、周縁（円柱）表面から、軸方向にディスクの境界を定める少なくとも一方のおよび好ましくは両方の半径方向表面への移行部においてディスクの周縁に沿って設けられる座に搭載される切削インサートを有する。
【０００３】
クランクシャフトフライスカッターのための切削インサートは、しばしば、生成されるピン軸受けおよびロータリー軸受けのプロファイルを反映する特別な設計を備え、本発明は、何らかのさらなるプロファイル形成のために設けられる切削インサートを同様に対象とする。
【０００４】
しかしながら、生成される全体的なプロファイルは、クランクシャフト本体の周りの矩形溝のプロファイルであり、その溝の下部は、例えば、クランクシャフトのクランクピンまたは軸受けジャーナルの周縁円柱表面を画定する。
【０００５】
軸受けジャーナルおよびクランクピンまたはカムは、概して「オイルカラー（ｏｉｌ  ｃｏｌｌａｒ）」として指定される円柱表面から外方にシャフトの軸に垂直に延在する半径方向端面によって、通常、境界が定められ、切削インサートは、クランクピンまたは軸受けジャーナルに隣接して任意のオイルカラーのこれらの半径方向表面を生成するために、同様に設計され搭載される。
【０００６】
本出願において詳細に述べられずまた参照されない場合でも、本切削インサートおよび同様にそのような切削インサートを装備するフライス工具は、カムシャフト、すなわち、カムシャフトの軸受けジャーナルおよび同様にカムのフライスにも適する。
【０００７】
クランクシャフトのクランクピンおよび軸受けジャーナルを形成するために、ディスク状フライスカッターが、通常、使用され、ディスク状フライスカッターは、ディスクの周縁上に、また特に、そのようなディスク状工具の周縁表面から半径方向表面への移行部に配置される複数の切削インサートを備える。
【０００８】
クランクシャフトフライスのための、また同様に、カムシャフトフライスのためのディスク状フライスカッターは、通常、３００ｍｍを超える、特に、７００ｍｍと９００ｍｍとの間の直径を有する。これらのフライスカッターは、クランクシャフトが連続して回転する間に、半径方向にクランクシャフトに向かって送られ、フライスカッターからのクランクシャフトの半径方向距離は、ディスク状フライスカッター上の周縁インサートが、クランクシャフト上の所望の位置でそれぞれの円柱表面を生成するように適切に制御される。
【０００９】
対応するディスクの直径が大きいことを考慮して、多数の切削インサートがディスクの周縁に沿って搭載される。多くの場合、切削インサートは、ディスク上で接線方向に搭載される、すなわち、大きい上部面および下部面は逃げ表面として働き、一方、狭い側部面はすくい表面として使用される。やはり、接線方向に搭載される切削インサートが、そのより長い寸法が工具の円周に沿う状態で延在するため、また、同様に、適切な切り屑空間を設ける必要があるため、切削インサートは、切削インサートの幅または長さの少なくとも３倍に対応するピッチで、通常、搭載される。切削インサートが中心クランプ孔を有する場合、中心クランプ孔は、フライスカッターの軸に平行にまたはフライスカッターの軸に垂直に延在する対応するねじによってフライスカッター上に固定することができる。
【００１０】
２０年以上たっている設備において、半径方向におよび／または軸方向に搭載された切削インサートを装備する、すなわち、刃面が、半径方向に沿って、実質的に軸に平行にまたは垂直に延在しながら、ほぼ円周方向に向く上部面を装備する一部のディスクフライスカッターが、やはり市場に存在する。
【００１１】
しかしながら、こうして搭載されたときの、連続する切削インサートの間のピッチを低減することは、少なくとも、切削インサートが中心クランプねじによって固定されている限り、ほとんど可能でない。クランプねじにアクセスするために、円周方向に沿って互いに連続する切削インサートの間に十分な空間を有することがやはり必要である。さらに、所与のピッチによって、利用可能な切り屑空間は、円周方向に見られると、ピッチから、切削インサートの円周方向寸法を引き、切削インサートの後面を支持する或るバッキング要素を引いた値によって制限される。
【００１２】
クランクシャフトフライスおよびカムシャフトフライスのために設けられる従来技術のディスク状フライスカッターの連続する切削インサート間の大きいピッチは、同じ切削インサートが、１回転後に再び工作物に係合する前に、十分な時間が経過するため、切削インサートが工作物に再び当たる前にクールダウンすることができるが、連続する切削インサート間のそのような大きいピッチは、工具の周縁に沿って搭載される切削インサートの数を制限し、したがって、生産性を下げる。
【００１３】
さらに、フライス中に生成される切り屑は、非常に熱く、すくい表面上にまたはその近傍に付着する傾向があり、それにより、多量の熱が切り屑から切削インサートに伝達される。
【００１４】
したがって、上記問題の一部を克服するまたは取り除くためなどで設計された切削インサートおよび対応するディスク状フライスカッターを有することが望ましいことになる。
【発明の概要】
【００１５】
切削インサートに関して、本目的は、請求項１による対応する切削インサートによって達成される。そのような切削インサートは、その上部面に関する平面図において、７０°と８０°との間の鋭角を含む２つの斜め向かいのコーナー部を有する平行四辺形の基本形状（ひし形基本形状など）を形成し、鋭角付きコーナー部の少なくとも１つの鋭角付きコーナー部は、上記切れ刃の１つのコーナー切れ刃を提供するコーナー面を備え、逃げ表面は上部面と鈍角内角を形成し、さらに、切り屑溝は切れ刃に隣接しかつそれに沿って上部面内に形成される。
【００１６】
平行四辺形の基本形状（ひし形基本形状を含む）を有する切削インサートは当技術分野で既に知られているが、本発明による切削インサートの、基本形状、特定のコーナー角度、および逃げ表面は、切れ刃と、円柱ピン表面と円柱ピン表面に垂直に延在するオイルカラーの両方との接触を依然として維持しながら、顕著なネガティブな配向を持って対応するフライスカッター内への搭載を特に可能にする。
【００１７】
「ネガティブな配向（ｎｅｇａｔｉｖｅ  ｏｒｉｅｎｔａｔｉｏｎ）」は、この場合、フライスカッターの半径方向（半径）および軸方向（中心軸））に関する切削インサートの上部面のネガティブな半径方向すくい角およびネガティブな軸方向すくい角を共に意味する。
【００１８】
換言すれば、円周作業方向に沿って見られると、切削インサートは、周縁表面におけるアクティブ切れ刃、ならびに、半径方向に延在する切れ刃であって、オイルカラーを形成し、ディスク状フライスカッターの半径方向端平面に沿ってかつそれに平行に延在する、半径方向に延在する切れ刃が、回転方向に切削インサートの残りの部分の後に追従するように傾斜する。
【００１９】
換言すれば、切削インサートは、半径方向ならびに軸方向に外方と後方の両方に傾斜する。
【００２０】
やはり、例えば、７２°と７８°との間、特に約７５°であることができる切削インサートの適切な鋭角によって、インサートは、フライスカッター本体の周縁上の凹所に搭載される場合、溝の下部、すなわち、クランクピンの円柱表面ならびにクランクピンに垂直に延在する制限面を生成することができ、それらの表面は、シャフトの軸を含む断面内で直角を含む。
【００２１】
上記で示した切削インサートの鋭角コーナー部の所与の角度によって、切削インサートの位置におけるディスク状フライスカッターの周縁上に設けられる半径方向平面および／または接平面に関する切削インサートのネガティブな半径方向すくい角とネガティブな軸方向すくい角の両方に関する絶対値は少なくとも２０°であるべきである。
【００２２】
この特定の配置構成は幾つかの利点を有する。まず第１に、切削インサートがそれに沿って移動する円周方向に関する切削インサートの強い傾斜は、切れ刃において生成される切り屑を、迅速に、切削インサートの上部面から取り除き、半径方向にかつ軸方向に排出させる。
【００２３】
したがって、熱い切り屑と切削インサートとの間のずっと少ない接触が存在するため、切削中に生成される熱のほとんどは、従来のカッターおよび切削インサートがずっと少ない熱を吸収するのと比較して、側部に大量に排出される切り屑によって持ち去られる。
【００２４】
別の利点が達成され、特に、切削インサートが上部表面から下部表面まで延在する中心クランプ孔を有する場合、これらのインサートを、相応してネガティブに配向する座に搭載することはずっと容易であり、なぜならば、中心クランプの軸が、要求に応じて半径方向ならびに軸方向に工具本体から外方を向く上部表面に対する垂線と同じ方向を維持するからである。これは、クランプ孔が、上部面に垂直なそのような方向から容易にアクセスすることができ、それが、次に、インサート間のずっと短い円周ピッチを可能にすることを意味する。
【００２５】
したがって、ディスクフライス工具の所与の直径によって、より密接なピッチを有するずっと多くの数の切削インサートを、相応してディスク状のフライスカッター上に搭載することができる。
【００２６】
切削インサートの「強くネガティブな（ｓｔｒｏｎｇｌｙ  ｎｅｇａｔｉｖｅ）」搭載の別の利点は、かなり狭いピッチにもかかわらず十分な切り屑空間を装備していることである。さらに、また、既に述べたように、切削切り屑は、切削インサートのネガティブに配向した上部表面との相互作用によって、切り屑空間から迅速に排出されるため、さらに少ない切り屑空間が必要とされる。切削インサートは、少ない熱を吸収するため、より短い時間間隔で工作物に係合することができ、一方、切削ディスクは、さらに直径が減少する可能性があるが、より大きい直径を有する対応する工具と同じ数の切削インサートを依然として有する可能性があるため、クランクシャフトまたは同様にカムシャフトのフライス加工が、より高い効率を生成することができる。
【００２７】
切削インサートが、半径方向と軸方向の両方においてやや大きいネガティブなすくい角を有するように傾斜するため、こうしてやや大きい荷重を受ける切れ刃の強度は、ネガティブなクリアランス(ｃｌｅａｒａｎｃｅ)を含む逃げ表面を提供するために、側部面の逃げ表面を、上部面との鈍角内角で設けることによって改善され得る。逃げ表面と上部面との間の鈍角内角は、これにより、１００°と１１０°との間、好ましくは約１００°であることができる。
【００２８】
切れ刃の内部のすくい表面上でポシティブなまたは程度の低いネガティブなすくい角の切削幾何形状を依然として有するために、切り屑溝が、切れ刃に沿って設けられ、好ましい実施形態によれば、そのような切り屑溝は、切れ刃の少なくとも２つのまっすぐな切れ刃部分であって、その間にコーナー切れ刃を含む少なくとも２つのまっすぐな切れ刃部分に沿って連続して延在する。コーナー切れ刃は、好ましくは、まっすぐな切れ刃部分の隣接端を接続する半径（丸い）コーナー切れ刃である。一実施形態において、また、切れ刃に垂直な断面において見られるように、切れ刃に隣接する切り屑溝表面部分に対する接線は、通常８５°の、逃げ表面との鋭角内角を形成する。
【００２９】
さらに、ランド部は、切れ刃に沿って設けることができ、かつ切れ刃と切り屑溝との間に配置することができ、ランド部は、好ましくは、上部面に平行な平面に、また特に、上部面のわずかに下の平面に位置する。切削インサートを貫通して上部面から下部面まで延在する中心クランプ孔は、中心クランプねじの助けを借りて切削インサートの搭載を可能にする。ランド部を設ける代替法として、切れ刃は、０．３ｍｍなどの半径を有する所定の断面内の面取り（またはＥＲ（ｅｄｇｅ  ｒｏｕｎｄｉｎｇ））を備えることができる。
【００３０】
一実施形態において、切削インサートは、平行四辺形の基本形状の鋭角付きコーナー部の他のコーナー部および他の２つの側部面に沿って設けられる同一の切れ刃を有する割り出し可能な切削インサートであり、切削インサートは、同様に、上部面と同一である下部面を有する両面インサートである。換言すれば、切削インサートは、上部および下部面のそれぞれの面上の２つの同一かつ割り出し可能切れ刃によって４回割り出し可能である。上部面と下部面との間の距離、すなわち、切削インサートの厚さは、通常、４ｍｍと８ｍｍとの間、特に、６ｍｍと６．５ｍｍとの間である。
【００３１】
一実施形態において、側部面は平坦表面部分を備え、平坦表面部分は、上部面に垂直に延在し、かつ逃げ表面に隣接して位置しており、上部面に垂直に測定される平坦表面部分の幅は、上部面と下部面との間の距離の５０％と８０％との間であることができる。好ましくは、平坦表面部分の幅は、切削インサートの厚さの５５％と６２％との間の範囲内にあることができる。
【００３２】
述べた実施形態の切削インサートは、焼結する前に一軸加圧成形される超硬合金体を焼結することによって生産することができる、すなわち、切削インサートは、多軸加圧成形を全く必要としない。
【００３３】
切削インサートの斜め向かいの２つのコーナー部に関する鋭角が、かなり大きいネガティブな半径方向および軸方向すくい角を有する搭載にとって必須であるが、精密にひし形の形状は必要とされない。換言すれば、同じ鋭角付きコーナー部に隣接する２つの切れ刃は、同じ長さを有する必要はなく、なぜならば、２つの切れ刃が、クランクシャフトの異なる部分に、すなわち、それぞれ、ピンまたはジャーナルの円柱表面および半径方向オイルカラーに係合するために設けられるからである。しかしながら、ひし形形状は、その座内の切削インサートの割り出しだけでなく、切れ刃が異なる長さを有するべきである場合に、同じように嵌合しないことになるフライスカッターディスクの対向する側の間での切削インサートの交換もまた可能にする。
【００３４】
既に述べたように、本発明は、クランクシャフトフライス工具のための切削インサートホルダーを対象とし、上記ホルダーは、少なくとも、周縁表面セクションと、周縁表面セクションに隣接する対向配置された２つの半径方向面と、を少なくとも有する部分円柱本体を備え、切削インサート座部は、周縁表面に対する半径方向表面の少なくとも１つの半径方向表面の移行部における凹所として形成され、上記インサート座部は、下部支持表面、および、下部支持表面に垂直に延在する少なくとも２つの側部支持表面を備える。本発明によれば、下部表面の表面垂線は、半径方向平面に対して少なくとも１０°の絶対値のネガティブな軸方向すくい角（α）で、また、インサート座部の下部のロケーションにおいて周縁円柱表面に対する接平面に対して少なくとも８°の絶対値のネガティブな半径方向すくい角（β）によって、少なくとも部分円柱本体から外方に軸方向及び半径方向に向き、下部支持表面の中心を通る。そのような凹所内に搭載される切削インサートのそれぞれのすくい面が、もちろん、対応するインサート座部の下部表面と同じ配向を有することになり、そのことが、同様に、切削インサートの面垂線が対応する角度だけ外方に向くことを意味することに留意することができる。
【００３５】
一実施形態において、半径方向平面からの表面垂線の偏移を規定する、ネガティブな軸方向すくい角αの絶対値は、１５°より大きい、好ましくは２２°より大きい、特に約２７°であり、また、表面垂線と接平面との間の角度を規定する、ネガティブな半径方向すくい角βの絶対値は、１２°より大きい、好ましくは２０°より大きい、特に約２４°である。切削インサートおよびそれぞれのインサート座部の特定のネガティブな配向に伴う利点は、既に上記で述べられている。
【００３６】
切削インサート座部の下部支持表面は、好ましくは、実質的に中心のねじ山付きクランプ孔を備える。用語「実質的に中心の（ｓｕｂｓｔａｎｔｉａｌｌｙ  ｃｅｎｔｒａｌ）」は、孔が、インサート座部の下部支持表面内に、上記下部支持表面の中心の近くに配置され、上記下部支持表面が、インサート座部内に受け取られるそれぞれの切削インサートの下部面を支持するように構成されることを、本コンテキストにおいて意味する。ねじ山付き孔は、側部支持表面からの或る距離であって、対応する側部表面と切削インサートのクランプ孔との間の距離よりわずかに小さい、或る距離に設けられて、下部支持表面に向かうだけでなく、座の側部支持表面にも向かうポジティブなクランプ力を保証する。
【００３７】
対応するねじ山付き孔内に、クランプねじによって切削インサートを搭載すると、その下部面を有する切削インサートは、座の下部支持表面に押し付けられ、その平坦表面部分（逃げ表面に隣接する）を有する側部表面は、座の下部支持表面に垂直に延在する座の側部支持表面に当接し、これらの側部支持表面は、切削インサートの平行四辺形またはひし形基本形状の鋭角に対応する、互いとの角度を含む。
【００３８】
切削インサートホルダーの一実施形態において、対向する半径方向表面において上記凹所として形成されるインサート座部は、円周方向に沿って相対的にシフトすることを除いて、鏡面対称形状および配置構成を有する。これは、周縁表面に対する１つの半径方向表面の移行部に設けられる任意の２つのインサート座部の間で、別のインサート座部が、これらの座の間であるが、対向する側に、すなわち、対向配置された半径方向表面から周縁表面への移行部に設けられ、対向する半径方向表面上の座が鏡面対称形状および配向を有することを意味する。
【００３９】
最後に、本発明は、上記で述べた実施形態の任意の実施形態による、切削インサートを装備する上記で述べたインサートホルダーを備えるクランクシャフトフライス工具を対象とする。そのような切削インサートおよびその配置構成の利点は、既に上記で述べられている。
【００４０】
上記で述べた切削インサートと共に、インサート座部の下部支持表面の配向の結果として、切削インサートは、少なくとも１０°の、好ましくは１５°より大きい、より好ましくは２２°より大きい、特に約２７°のネガティブな軸方向すくい角で、また、少なくとも８°の、好ましくは１２°より大きい、より好ましくは２０°より大きい、特に約２４°のネガティブな半径方向すくい角で傾けられる。
【００４１】
このコンテキストにおいて、２０°より大きいネガティブな半径方向すくい角は、絶対値を指し、−２２°等の＜―２０°のネガティブなすくい角を意味する。
【００４２】
インサート座部の、また特に、切削インサートの対応する側部面がそれに当接する側部支持表面の配向は、鋭角付き切削コーナー部に隣接する各切削インサートの少なくとも１つの切れ刃が接平面上に延在し、同じインサートのかつ同じ切削コーナー部に隣接する別の切れ刃が半径方向平面内に延在するように配置され、それは、実際には、同じ鋭角付き切削コーナー部から延在する２つの切れ刃によって生成される表面が、互いに垂直である表面を生成することを意味する。
【００４３】
上記で述べた切削インサートの一部または全ては、クランクピンまたは軸受けジャーナルの円柱表面からオイルカラーへの移行部においてアンダーカットを生成するためなどで、半径方向に突出する、鋭角付きコーナー部上の拡張部を設けることによって少し修正することができる。
【００４４】
幾つかの好ましい実施形態ならびにそれらの特徴および利点は、図および以下の図に基づいて認識することができる。
【図面の簡単な説明】
【００４５】
【図１Ａ】本発明による切削インサートに関する上面図または平面図である。
【図１Ｂ】図１ＡのセクションＢ−Ｂによる図１Ａの切削インサートを通る断面図である。
【図１Ｃ】図１Ｂからの詳細Ｃ１を示す図である。
【図１Ｄ】図１ＡのセクションラインＤ−Ｄによる部分断面図である。
【図２Ａ】図１の切削インサートの斜視図である。
【図２Ｂ】図１の切削インサートの上面／平面図である。
【図２Ｃ】図１の切削インサートの側面図である。
【図２Ｄ】図１の切削インサートの異なる側面図である。
【図３】逃げ溝をさらに生成するように設定された切削インサートの別の実施形態を示す図である。
【図４Ａ】本発明のディスク状クランクシャフトフライス工具のリングセクター本体を形成する切削インサートホルダーのリング軸に向かう半径方向図である。
【図４Ｂ】本発明のディスク状クランクシャフトフライス工具のリングセクター本体を形成する切削インサートホルダーのリング軸から外方への半径方向図である。
【図４Ｃ】本発明のディスク状クランクシャフトフライス工具のリングセクター本体を形成する切削インサートホルダーの側面図である。
【図５Ａ】図４の切削インサートホルダーの拡大部分を示す図である。
【図５Ｂ】図４の切削インサートホルダーの拡大部分を示す図である。
【図６】切削インサートを装備する図４の切削インサートホルダーの側面図である。
【図７】図６の切削インサートホルダーの上面図である。
【図８Ａ】図６および図７による３つのリングセクター本体からなる完全なリング状切削インサートホルダーの斜視図である。
【図８Ｂ】図６および図７による３つのリングセクター本体からなる完全なリング状切削インサートホルダーの側面図である。
【図８Ｃ】図６および図７による３つのリングセクター本体からなる完全なリング状切削インサートホルダーの異なる側面図である。
【発明を実施するための形態】
【００４６】
図１Ａ〜１Ｄおよび図２Ａ〜２Ｄは、以下の節で一般に述べられる。
【００４７】
図１Ａから見られるように、好ましい実施形態の切削インサート１０は、平行四辺形の基本形状を有し、より厳密には、ひし形基本形状の形態であり、斜め向かいであるが、その他の点では同一の２つの鋭角コーナー部８において約７５°のひし形形状の鋭角ε１を有し、コーナー部８のそれぞれは、相応して湾曲したコーナー切れ刃４’を有し、コーナー切れ刃４’は、まっすぐな側部面３に平行に延在する隣接するまっすぐな切れ刃４に隣接する。残りの斜め向かいの鈍角コーナー部８’は、切り屑溝６が、切削インサート１０の上部面上の中心平面部分１ａの周りに延在するにも関わらず、切削のために設計されない。
【００４８】
切削インサートは、図１Ｂに示す中間平面Ｍに関して、鏡面対称的である。要約すると、切削インサートは、上部面１および上部面１と同一である下部面２を有する両面インサートであり、両方の面１、２は、互いに平行であり、中心クランプ孔１１ならびに上部および下部面のそれぞれの面上の中心平面部分１ａを囲む切り屑溝６を除いて平面である。切削インサート１０は、４つの側部面３および４つのコーナー面３’、３’’を備え、切れ刃４、４’は、上部／下部面１、２と、側部面３および鋭角コーナー面３’の逃げ表面部分５、５’との交差部によって形成される。
【００４９】
切り屑溝６は、第１のまっすぐな切れ刃部分４、隣接する鋭角付きコーナー切れ刃４’、および同じ鋭角コーナー切れ刃４’に隣接する別のまっすぐな切れ刃部分４に沿って連続して延在する。対向する切削コーナー部８によって、２つのまっすぐな切れ刃部分４に沿ってかつ丸い鋭角付きコーナー切れ刃４’に沿って連続して延在する切り屑溝６がやはり存在する。示す実施形態における切り屑溝６は、鈍角コーナー部８’に沿って同様に延在し、それにより、切り屑溝は、切削インサートの上部面上に単一エンドレス溝を同様に形成する。この実施形態における両面切削インサート上の下部面２は、これにより、上部面１と同一である。換言すれば、切削インサートは、切れ刃に沿って連続して延在する切り屑溝６を含む上部および下部面のそれぞれの面上に２つの割り出し可能切れ刃４を含むことによって４回割り出し可能である。したがって、切削インサートは、ディスク状切削工具上の４つの割り出し位置において使用することができる（図６に示す）。
【００５０】
約１０５°のコーナー角ε２を規定する鈍角コーナー部８’は、上部面１との鈍角内角を形成する逃げ表面を備えない。代わりに、鈍角コーナー部８’における側部面３’’は、これらのコーナー部８’において図１Ｄの断面図で見ることができ、また同様に、図２Ａ〜２Ｄで見ることができるように、上部面１に対して垂直に延在する単一表面を構成する。
【００５１】
鋭角コーナー部８は、１ｍｍから２ｍｍの間の半径を持って湾曲する。対向配置した２つの側部面３の間で測定される切削インサートの幅ｗは、約１２ｍｍ〜１５ｍｍ、特に１４ｍｍである。幅ｗは、切削インサート１０の４つ全ての側部面３に接触する内接円Ｃの直径を同様に規定する。切削インサートの厚さは、幅の約４５％、すなわちほぼ６．３５ｍｍである。切削インサートは、上部面１から下部面２まで延在する中心クランプ孔１１を備える。
【００５２】
図１Ｂからの詳細を示す図１Ｃは、切れ刃および隣接する切り屑溝６および逃げ表面５を含む。見られるように、逃げ表面５は、これにより、上部面１との鈍角内角θを形成する。さらに、切れ刃４に隣接する切り屑溝６表面部分に対する接線および逃げ表面５は、約８５°の鋭角内角（または、くさび角）を形成し、それは、側部面３、３’のベベルとして形成される逃げ表面５が、上部面１に垂直である側部面３、３’の中心部分から外方に約１５°のネガティブなクリアランス角δによって角度を付けられ、一方、切れ刃４に隣接する切り屑溝表面部分の接線が、上部面または上部面に平行な面との２０°の角度γを含むことによる。図１Ｂから見られるように、切れ刃４は、上部および下部面１、２よりわずかに低いレベルに位置する。
【００５３】
上部および下部面１、２に垂直に延在する側部面３の平坦表面部分の幅ｂ（図１Ｂ参照）は、インサートの厚さに対応する側部面の全幅の約６０％になり、各逃げ表面５は、それにより、厚さの約２０％になる側部表面の部分に制限される。
【００５４】
ランド部７は、切れ刃の直近に設けることができ、例えば、上部および下部面１、２に平行な切れ刃の平坦チャンファの形態をそれぞれ有することができる。代替的に、切れ刃４は、小さい面取り（ＥＲ）半径＜０．２ｍｍによって丸みを付けることができる。
【００５５】
図１Ａにおいて８’’として示す鋭角コーナー部のうちの１つの鋭角コーナー部における湾曲破線は、図３において斜視図で示すだけである実施形態によるコーナー部８’’の輪郭を上面図で示すことを意味される。拡張コーナー部８’’は図１および図２の実施形態に関して存在せず、その輪郭は、図１Ａおよび図２Ｂにおいて実線で描かれている。図３の実施形態は、以下の節で述べられる：
【００５６】
図３は、本発明による切削インサート１０’を示し、切削インサート１０’は、オイルカラーであって、ピンの周縁表面に垂直に延在する半径方向表面によって画定される、オイルカラーに対して、クランクピンまたは軸受けピンのコーナー領域内に逃げ溝を生成するように特に設計される。
【００５７】
図１Ａの説明において既に示し、そこで予示したように、図３の実施形態は、基本的にひし形形状の境界を定める側部のうちの１つの側部上にのみ切れ刃の拡張部を提供する丸いコーナー部８’’を画定するさらなる拡張部を特徴とする。図１Ａから特に見られるように、拡張した丸いコーナー部８’’は、縁表面３のうちの１つの縁表面３によって画定される平面を超えて突出するのではなく、鋭角付きコーナー部に隣接するそれぞれの他の縁表面３からのみ突出する。
【００５８】
鋭角および鈍角コーナー部８’’および８’における角度ε１およびε２は共に、それぞれ（拡張部を無視して）、図１Ａに示す実施形態の場合と同じである、すなわち、それぞれ７５°および１０５°である。もちろん、両方の実施形態、すなわち、それぞれ、図１Ａおよび図３に示す実施形態について、これらの角度は、ディスクフライスカッターの円柱エンベロープ表面または半径方向エンベロープ表面内で延在するためなどで、インサート座部（図４および図５参照）の下部支持表面２２の他のネガティブなすくい角αおよびβに適合する可能性がある。図３による切削インサート１０’の拡張コーナー部８’’は、特にコーナー部がそこから延在するまっすぐな切れ刃に隣接する側部上で、拡張コーナー部８’’の逃げ表面と工作物との接触を回避するためなどで、中間平面Ｍに向かって減少断面を持つように形成される場合がある(might)。ネガティブな半径方向すくい角によって、切削インサートを、上部面と下部面の両方に切れ刃を有する両面切削インサートとして設計することが依然として可能である。そして、断面は、切削インサート１０’の中間平面Ｍから下部表面２にやはり増加することができる。
【００５９】
図３による切削インサート１０’は、フライス工具の周縁に沿って設けられるインサートの一部を置き換えることができる。例えば、図４および図５に示す、２つおきの、３つおきの、または４つおきの切削インサート１０は、図３による切削インサート１０’で置き換えることができる。切削インサートの残りの部分は、クランクピン、軸受けピンまたはカムのスムーズな周縁表面を依然として生成することになり、一方、拡張コーナー部分８’’を有する切削インサートの一部は逃げ溝を生成することになる。
【００６０】
残りの部分において、また、拡張コーナー部分８’’を除いて、図３の切削インサート１０’は、図１Ａ〜図２Ｄに示す切削インサート１０と完全に同一であることができる。特に、この実施形態の逃げ表面５、５’は、同じ伸長部および上部／下部面との鈍角内角θ、ならびに、同じ深さ、伸長部、および形状を有する切り屑溝６を有し、図１Ｃに示す切り屑溝６と同じ鋭角内角で切れ刃４に接合する。図３において、拡張コーナー部８’から延在する切り屑溝６のうちの１つの切り屑溝６は、対応する切れ刃４の全長に沿って延在するように示されないが、この切り屑溝６は、図１Ａ〜図２Ｄの実施形態の場合と同様に、中心平面表面１ａの周り一面にかつ切れ刃に沿って連続して延在することもできる。
【００６１】
図４Ａ〜４Ｃは、鋼で作られ、切削インサート１０を収容する複数の切削インサート座部２１を有するリングセクター２０の形態の切削インサートホルダーを示す。そのような切削インサートホルダー／リングセクター２０は、中心ディスク（図示せず）の周縁に搭載されて、閉鎖リング（図８参照）を一般に形成するさらなる切削インサートホルダー／リングセクター２０と共に、完全なディスク状クランクシャフトフライスカッターを形成することができる。本実施形態において、切削インサートホルダー／リングセクター２０は、３つの同一の切削インサートホルダー／リングセクター２０が完全な環状切削インサートホルダーを構成するように、ディスク状クランクシャクトフライスカッターの全周の約１２０°をカバーする。インサート座部２１は、切削インサートホルダー／リングセクター２０の外周に設けられ、インサート座部２１は、特に、軸方向および外半径方向に向かって開放する。
【００６２】
図４Ａ〜４Ｃは、クランクシャフト（またはカムシャフト）フライスのためのディスク状フライスカッターの外側リングの一部を形成する切削インサートホルダー／リングセクター２０の異なる図を示す。切削インサートホルダー／リングセクター２０は、リング軸５０（図８に示す）を規定し、その半径方向外側に、図１および図２による切削インサート１０を受け取るように設計される複数の切削インサート座部２１を備える。インサート座部２１は、図５Ａおよび図５Ｂによる拡大部分図で示すように、それぞれ下部支持表面２２および側部支持表面２３、２４を備える。下部支持表面２２から側部支持表面２３、２４への移行部において、ならびに、側部支持表面２３、２４の交差部において、支持表面と、それぞれ、切削インサート１０または１０’のまっすぐな切れ刃４および湾曲した切れ刃４’との望ましくない接触を防止するための逃げ溝２６が設けられる。
【００６３】
下部支持表面は、切削インサート１０の中心クランプ開口１１を通って延在するクランプねじ（図示せず）を受け取るための、実質的に中心のねじ山付きクランプ孔２７を備える。下部支持表面２２および側部支持表面２３、２４は、対応するインサート座部２１に搭載されるときに、切削インサート１０のネガティブな軸方向および半径方向すくい角を提供するためなどで、軸方向および半径方向に関して傾斜する。
【００６４】
切削インサート１０’の場合、拡張コーナー部８’’を収容するために対応する深さを有する異なる逃げ溝（図示せず）は、インサート座部２１の一部または全てのインサート座部２１内で側部支持表面２３、２４の間の移行部に設けることができる。
【００６５】
図６及び図７に示す、インサート座部の下部支持表面２２上の表面垂線Ｎと、半径方向平面または接平面との間の角度として特許請求項においてそれぞれ規定されるネガティブなすくい角αおよびβは、一方で、切削コーナー部８に隣接するアクティブ切れ刃４と、他方で、それぞれ、半径方向平面Ｒに対する垂線および半径ベクトルＤとの間で同様に発生する。ベクトルＮは、同様に、インサート座部に搭載されたときの、切削インサート１０の上部面１上の表面垂線である。
【００６６】
フライスカッターの周縁における切れ刃が円柱エンベロープ表面内で正確に延在しないことを、ディスクフライスカッター（図７参照）の軸に関するネガティブな軸方向すくい角αがもたらすことになることに留意することができる。むしろ、切れ刃４の中心部分は、鋭角および鈍角コーナー部に近い切れ刃の端に比べて、フライスカッターの軸に対してわずかに近い距離を有する。
【００６７】
しかしながら、クランクシャフトまたはカムシャフトフライスのために使用されるような、典型的なディスクフライスカッターの半径と比較すると、切れ刃の伸長部がやや短いことを考慮して、また、依然として中程度のネガティブな軸方向すくい角を考慮して、この誤差は限界に近く、無視することができる。やはり、円柱エンベロープ表面からのそのような偏移に対処するために、周縁に延在しかつ工具軸に大部分平行な切れ刃は、切削インサート１０に関して上面図においてわずかに湾曲する場合がある。
【００６８】
図４〜８から認識されるように、本工具によって提供される切削インサート座部２１のやや狭いピッチにも関わらず、切削インサート１０の各上部面１の前に多数の切り屑空間２５が存在し、中心クランプ孔１１は、インサート１０がやや密接したピッチで配置されるにも関わらず、対応する搭載工具と工具本体２５または任意の他の切削インサート１０との干渉なしで、容易にアクセス可能である。
【００６９】
図８Ａは、３つのリングセクター２０からなり、かつ、対応するインサート座部２１内に受け取られる本発明による切削インサート１０を装備する、完全に組み立てられた環状切削インサートホルダー３０の斜視図を示す。図８Ｂは環状切削インサートホルダーの軸５０に向く半径方向図である。図８Ｃはリングの軸方向に沿う環状切削インサートホルダーに関する側面図である。
【符号の説明】
【００７０】
１  上部面
１ａ  上部面の中心部分
２  下部面
３  側部面
３’  側部面
４  切れ刃
４’  切れ刃
５  逃げ表面
５’  逃げ表面
６  切りくず溝
７  ランド部
８  鋭角コーナー部
８’  鈍角コーナー部
８’’  拡張コーナー部
１０  切削インサート
１０’  切削インサート
１１  中心クランプ孔
２０  切削インサートホルダー／リングセクター
２１  インサート座部
２２  下部支持表面
２３  側部支持表面
２４  側部支持表面
２５  切り屑空間
２６  逃げ溝
２７  ねじ山付き孔
３０  フライスカッター本体
５０  フライスカッターの軸
【図１Ａ】
2020533186.tif 000003
【図１Ｂ】
2020533186.tif 000004
【図１Ｃ】
2020533186.tif 000005
【図１Ｄ】
2020533186.tif 000006
【図２Ａ】
2020533186.tif 000007
【図２Ｂ】
2020533186.tif 000008
【図２Ｃ−２Ｄ】
2020533186.tif 000009
【図３】
2020533186.tif 000010
【図４Ａ】
2020533186.tif 000011
【図４Ｂ】
2020533186.tif 000012
【図４Ｃ】
2020533186.tif 000013
【図５Ａ】
2020533186.tif 000014
【図５Ｂ】
2020533186.tif 000015
【図６】
2020533186.tif 000016
【図７】
2020533186.tif 000017
【図８Ａ】
2020533186.tif 000018
【図８Ｂ】
2020533186.tif 000019
【図８Ｃ】
2020533186.tif 000020
【国際調査報告】
2020533186.tif 000021
2020533186.tif 000022
2020533186.tif 000023